(57)【特許請求の範囲】
【請求項１】
冷蔵庫の内箱に設けられたレールに対して前後移動可能に保持され中央部に上下方向の軸穴が貫通された前後可動棚と、この前後可動棚の上面に配設され上記軸穴に進入する係合部が設けられた回転トレイと、上記前後可動棚の下面側から上記軸穴部分で上記係合部に係合する係止部及び上記軸穴の径よりも大きく形成された抜止部を有する係止部材と、を備え、上記係合部は上記回転トレイの下面に上記軸穴に進入するように突設された円筒部と、この円筒部から径方向に突出された係合片とからなるものであって、上記係止部材は、上記円筒部の内周面または外周面に対向するように軸方向に突出された円弧状または円筒状の係合体を有し、上記係止部は上記係合片をスナップフィットにより係止するように上記係合体に設けられていることを特徴とする冷蔵庫の棚装置。
【請求項２】
冷蔵庫の内箱に設けられたレールに対して前後移動可能に保持され中央部に上下方向の軸穴が貫通された前後可動棚と、この前後可動棚の上面に配設され上記軸穴に進入する係合部が設けられた回転トレイと、上記前後可動棚の下面側から上記軸穴部分で上記係合部に係合する係止部及び上記軸穴の径よりも大きく形成された抜止部を有する係止部材と、を備え、上記係止部材は、上記係合部に対する係脱用のグリップ部が形設されているものであって、上記係止部材が上記係合部に係止された状態において、上記グリップ部の背面側が上記回転トレイの背面部に当接することを特徴とする冷蔵庫の棚装置。
【請求項３】
冷蔵庫の内箱に設けられたレールに対して前後移動可能に保持され中央部に上下方向の軸穴が貫通された前後可動棚と、この前後可動棚の上面に配設され上記軸穴に進入する係合部が設けられた回転トレイと、上記前後可動棚の下面側から上記軸穴部分で上記係合部に係合する係止部及び上記軸穴の径よりも大きく形成された抜止部を有する係止部材と、を備え、上記係止部材は、上記回転トレイが取外された状態において、上記前後可動棚の上部側または裏面側から上記軸穴に上下逆に装着することで該軸穴を塞ぐように形成されていることを特徴とする冷蔵庫の棚装置。
【請求項４】
冷蔵庫の内箱に設けられたレールに対して前後移動可能に保持され中央部に上下方向の軸穴が貫通された前後可動棚と、この前後可動棚の上面に配設され上記軸穴に進入する係合部が設けられた回転トレイと、上記前後可動棚の下面側から上記軸穴部分で上記係合部に係合する係止部及び上記軸穴の径よりも大きく形成された抜止部を有する係止部材と、を備え、上記前後可動棚は、上記レールに対して上下逆に係合し得るものであることを特徴とする冷蔵庫の棚装置。
【請求項５】
冷蔵庫の内箱に設けられたレールに対して前後移動可能に保持され中央部に上下方向の軸穴が貫通された前後可動棚と、この前後可動棚の上面に配設され上記軸穴に進入する係合部が設けられた回転トレイと、上記前後可動棚の下面側から上記軸穴部分で上記係合部に係合する係止部及び上記軸穴の径よりも大きく形成された抜止部を有する係止部材と、を備え、上記回転トレイは、対向する左右両辺が円弧状に形成され、上記前後可動棚を上記内箱から引き出したときに任意の回転方向に回転可能で、互いに平行な前後の二辺は前後の位置を逆にしたときも上記前後可動棚に安着されることを特徴とする冷蔵庫の棚装置。
【請求項６】
上記係止部材の高さ方向の寸法を上記前後可動棚の前端部の厚さ以内としたことを特徴とする請求項１から請求項５の何れかに記載の冷蔵庫の棚装置。
【請求項７】
上記係合部は上記回転トレイの下面に上記軸穴に進入するように突設された円筒部と、この円筒部から径方向に突出された係合片からなることを特徴とする請求項２から請求項６の何れかに記載の冷蔵庫の棚装置。
【請求項８】
上記係止部材は、上記係合部に対する係脱用のグリップ部が形設されていることを特徴とする請求項１または請求項３から請求項７の何れかに記載の冷蔵庫の棚装置。
【請求項９】
上記前後可動棚に、上記回転トレイの回転方向の移動をロックするロックレバーを設けたことを特徴とする請求項１から請求項８の何れかに記載の冷蔵庫の棚装置。
【請求項１０】
上記係止部材は、ポリアセタール樹脂またはナイロン樹脂からなることを特徴とする請求項１から請求項９の何れかに記載の冷蔵庫の棚装置。
【発明の詳細な説明】
【技術分野】
【０００１】
この発明は、冷蔵庫の庫内に設置され、前後自由に移動でき、前進位置で回転できるようになされた棚装置に関するものである。
【背景技術】
【０００２】
冷蔵庫において、上段の棚の奥に収納された貯蔵物を容易に取り出せるようにするために、補助棚の上面にスイング動作できる回転棚を設け、回転棚をスイング動作させることで奥側の貯蔵物が手前側に移動できるようにすると共に、無効空間を最小化させ得るようにしたものがある（例えば特許文献１参照）。
【先行技術文献】
【特許文献】
【０００３】
【特許文献１】特開平１０−１５３３８２号公報（第１頁、図４）
【発明の概要】
【発明が解決しようとする課題】
【０００４】
上記のような冷蔵庫の棚装置においては、回転棚の動作ガイド部材が棚装置下方に突出しており、外観がすっきりしないだけでなく、回転動作によって構成部材が下段に貯蔵した食品に接触し食品の転倒や破損の恐れがある。また、回転棚を取り外すには、ネジ止めを取り外す必要があるため、取り外しに時間がかかり利便性が低い。さらに、ネジ止めの締付トルクは使用者によるばらつきが大きく、締付トルクが弱いと、使用中に固定部材が脱落し、締付トルクが強いと、高齢者など力の弱い使用者では取り外せない。また、補助台にガイド溝が設けられているため剛性が低く、重い貯蔵物を載置すると回転棚、補助台が変形して回転動作時の摺動箇所が増え、回転動作中の異音、磨耗粉の大量発生につながる恐れがある。さらに、回転棚を取り外し、補助台のみで使用した場合、強度の確保、こぼれた液体の下段への液垂れ防止が困難であるという問題点があった。
【０００５】
この発明は、上記のような課題を解消するためになされたものであり、回転トレイ（回転棚）を前後可動棚（補助台）に回動可能に保持する係止部材の厚さを薄くすることができ、回転トレイを下側の収納物に対して支障なく回転させることが可能となり、しかも剛性が高く回転トレイを取り外して使用しても液垂れの防止が可能で、回転トレイの着脱も容易な冷蔵庫の棚装置を提供することを目的としている。
【課題を解決するための手段】
【０００６】
この発明に係る冷蔵庫の棚装置は、冷蔵庫の内箱に設けられたレールに対して前後移動可能に保持され中央部に上下方向の軸穴が貫通された前後可動棚と、この前後可動棚の上面に配設され上記軸穴に進入する係合部が設けられた回転トレイと、上記前後可動棚の下面側から上記軸穴部分で上記係合部に係合する係止部及び上記軸穴の径よりも大きく形成された抜止部を有する係止部材とを備え、上記係合部は上記回転トレイの下面に上記軸穴に進入するように突設された円筒部と、この円筒部から径方向に突出された係合片とからなるものであって、上記係止部材は、上記円筒部の内周面または外周面に対向するように軸方向に突出された円弧状または円筒状の係合体を有し、上記係止部は上記係合片をスナップフィットにより係止するように上記係合体に設けられているものである。
また、この発明に係る冷蔵庫の棚装置は、上記係止部材は、上記係合部に対する係脱用のグリップ部が形設されているものであって、上記係止部材が上記係合部に係止された状態において、上記グリップ部の背面側が上記回転トレイの背面部に当接するものである。
さらに、この発明に係る冷蔵庫の棚装置は、上記係止部材は、上記回転トレイが取外された状態において、上記前後可動棚の上部側または裏面側から上記軸穴に上下逆に装着することで該軸穴を塞ぐように形成されているものである。
さらにまた、この発明に係る冷蔵庫の棚装置は、上記前後可動棚は、上記レールに対して上下逆に係合し得るものである。
そして、この発明に係る冷蔵庫の棚装置は、上記回転トレイは、対向する左右両辺が円弧状に形成され、上記前後可動棚を上記内箱から引き出したときに任意の回転方向に回転可能で、互いに平行な前後の二辺は前後の位置を逆にしたときも上記前後可動棚に安着されるものである。
【発明の効果】
【０００７】
この発明においては、回転トレイの係合部に係合する係止部と回転トレイの軸穴の径よりも大きく形成された抜止部とを有する係止部材を、前後可動棚の軸穴の部分で回転トレイの係合部に係合させることで、回転トレイを前後可動棚に回転自在に支持するようにするとともに、上記係合部は上記回転トレイの下面に上記軸穴に進入するように突設された円筒部と、この円筒部から径方向に突出された係合片とからなるものであって、上記係止部材は、上記円筒部の内周面または外周面に対向するように軸方向に突出された円弧状または円筒状の係合体を有し、上記係止部は上記係合片をスナップフィットにより係止するように上記係合体に設けられているので、係止部材の高さを抑えることが容易で、係止部材を目立たない構造とし、下側の収納物に対して支障なく回転させることが可能となる。また、前後可動棚は中央部に軸穴が貫通されているだけなので、剛性が高く、回転トレイを取り外して使用するときもスリットの場合に比べて液垂れの防止が容易で、回転トレイの着脱も容易にできる。
また、この発明においては、上記係止部材は、上記係合部に対する係脱用のグリップ部が形設されているものであって、上記係止部材が上記係合部に係止された状態において、上記グリップ部の背面側が上記回転トレイの背面部に当接するようにしたので、係止部材の高さを抑えることが容易で、回転トレイを収納物に対して支障なく回転させることが可能となり、前後可動棚の剛性を確保し、回転トレイを取り外して使用するときもスリットの場合に比べて液垂れの防止が容易で、回転トレイの着脱も容易にできる。
さらに、この発明においては、上記係止部材は、上記回転トレイが取外された状態において、上記前後可動棚の上部側または裏面側から上記軸穴に上下逆に装着することで該軸穴を塞ぐように形成されているので、係止部材の高さを抑えることが容易で、回転トレイを収納物に対して支障なく回転させることが可能となり、前後可動棚の剛性を確保し、回転トレイの着脱も容易にできるとともに、回転トレイを取り外して使用するときの液垂れを確実に防止できる。
さらにまた、この発明においては、上記前後可動棚は、レールに対して上下逆に係合し得るようにしたので、係止部材の高さを抑えることが容易で、回転トレイを収納物に対して支障なく回転させることが可能となり、前後可動棚の剛性を確保し、回転トレイを取り外して使用するときもスリットの場合に比べて液垂れの防止が容易で、回転トレイの着脱も容易にできるともに、回転トレイが取外された状態で前後可動棚の裏面を有効に利用することができる。
そして、この発明においては、上記回転トレイは、対向する左右両辺が円弧状に形成され、上記前後可動棚を上記内箱から引き出したときに任意の回転方向に回転可能で、互いに平行な前後の二辺は前後の位置を逆にしたときも上記前後可動棚に安着されるようにしたので、係止部材の高さを抑えることが容易で、回転トレイを収納物に対して支障なく回転させることが可能となり、前後可動棚の剛性を確保し、回転トレイを取り外して使用するときもスリットの場合に比べて液垂れの防止が容易で、回転トレイの着脱も容易にできるともに、回転トレイが前後可動棚から外れたり脱落することを防止できる。
【図面の簡単な説明】
【０００８】
【図１】本発明の実施の形態１による冷蔵庫の棚装置を示す分解斜視図。
【図２】図１に示された回転トレイを下方からみた斜視図。
【図３】図１に示された係止部材の拡大斜視図。
【図４】図３に示された係止部材を下方からみた拡大斜視図。
【図５】図１に示された回転トレイと係止部材の係合を概念的に説明する図。
【図６】図１に示された棚装置の組立前の位置関係を示す図であり、側面下方向から見た斜視図。
【図７】図６の前後可動棚に回転トレイを組み付けた後、係止部材の取付前を示す斜視図。
【図８】図７の回転トレイに係止部材を取り付けた状態を示す斜視図。
【図９】上記実施の形態１の動作説明図であり、原位置での収容状態を示す斜視図。
【図１０】図９の状態から、前後可動棚を前進させた状態を示す斜視図。
【図１１】図１０の状態から、回転トレイを反時計方向に９０度回動させた状態を示す斜視図。
【図１２】図１１の状態から、回転トレイを反時計方向にさらに９０度回動させた状態を示す斜視図。
【図１３】図１２の状態から、前後可動棚を後退させ原位置に戻した状態を示す斜視図。
【図１４】図１に示された前後可動棚に回転トレイを取り付けずに用いる場合の斜視図。
【図１５】本発明の実施の形態２による冷蔵庫の棚装置を示す斜視図。
【図１６】図１５に示された前後可動棚に回転トレイを取り付けずに用いる場合の斜視図。
【図１７】本発明の実施の形態３に係る冷蔵庫の棚装置の要部を示す断面図。
【発明を実施するための形態】
【０００９】
実施の形態１．
図１〜図４は本発明の実施の形態１に係る冷蔵庫の棚装置の構成を説明する図、図５は回転トレイと係止部材の係合を概念的に説明する図、図６〜図８は上記棚装置の組立方法を説明する図、図９〜図１３はその動作を説明する図、図１４は図１に示された前後可動棚に回転トレイを取り付けずに用いる場合を説明する図である。
【００１０】
図において、冷蔵庫の棚装置は、図示省略している冷蔵庫の内箱に、左右対称的に固定されたポリアセタール樹脂など摺動性の良い樹脂材で形成されているレール１に対して上下方向の移動を拘束され、かつ前後に移動可能に設置され、中央部奥寄りに上下方向に貫通する軸穴２１を有する前後可動棚２と、この前後可動棚２の上面に回転可能に設けられ軸穴２１に対応する位置の下側に係合部３１（図２）が設けられた回転トレイ３と、この回転トレイ３の係合部３１に前後可動棚２の下側から軸穴２１を通して係止させることで、該回転トレイ３を前後可動棚２に対して軸穴２１を中心に回転自在に保持する係止部材４からなる。
【００１１】
前後可動棚２は透明度の高い樹脂材を用いて形成されており、その前端部には外観上の見栄えの向上を図る意匠部品と補強構造を兼ねた前端フランジ２２が形成されている。該前端フランジ２２部分に補強板金を設置することもできる。前後可動棚２の前後可動範囲はレール１の前後に設置されたレール１の側壁に設けられた突出部１ａと、前後可動棚２の左右両端部に設置されたレール摺動部２３の側壁段部２３ａとで規制されている。なお、前後可動棚２とレール１との係合手法、及び前後可動棚２の着脱構造などは上記の例に特に限定されるものではなく、従来の慣用的な技術や公知の技術を適宜用いることができる。
【００１２】
回転トレイ３は透明性の高い樹脂からなり、周囲四辺の内、前後二辺は互いに平行な直線状で、左右二辺は円弧状に形成され、上面が略平らで周囲四方には上方向に縁３ａが突設された皿状ないしは盆状に形成されている。該回転トレイ３の中央部下方に設けられた係合部３１は、突出された円筒部からなる回転軸３１ａと、回転軸３１ａの突出端部から径方向外側に対称的に突設された一対の係合片３１ｂからなっている。なお、この例では軸穴２１の内周部には、係合片３１ｂを通過させるための２つの切欠き２１ａが１８０度の位置に左右対称的に設けられている。
【００１３】
係止部材４は、例えばポリアセタール樹脂、ナイロン樹脂などの摺動性の良好な樹脂材料を用いて円形で厚さが薄い蓋状に形成され、回転トレイ３に対向される一方の面Ａ（図３）には上記軸穴２１の内周面に対して滑らかに摺動し得る外径で、かつ、上記回転軸３１ａの外径よりも大きい内径に形成された、係合片３１ｂを受入れるための切欠き部４１ａを有する円弧状の係合体４１が突出されている。その係合体４１の基部外径側の突出部分は上記軸穴２１よりも直径が大きく形成されたフランジ状の抜止部４２を構成している。係合体４１と抜止部４２との結合部には、係合片３１ｂとスナップフィットにより嵌合する一対の係止部４３が円周上の１８０度の位置に対称的に形成されている。
【００１４】
上記係止部４３は、切欠き部４１ａに受入れた回転トレイ３の係合片３１ｂが図３の矢印Ｂ方向に進入する凹所４３ａを有し、凹所４３ａの入口部４３ｂ付近は係合片３１ｂに対して所定の抵抗を与えるための凸形状（詳細図示省略）に形成されている。一方、係止部材４の回転トレイ３とは反対側の他方の面Ｃ（図４）には、上記係合部３１に対する係脱時に把持するためのグリップ部４４が面Ｃ側から上方に凹むように設けられ、係止部材４の高さ方向の寸法が極力小さくなるように形設されている。
【００１５】
上記係止部材４によって回転トレイ３を前後可動棚２に回転自在に固定する場合、図５に示すように係止部材４を回転トレイ３に対して矢印Ｄとは反対方向に回動させることで、係止部４３に回転トレイ３の係合片３１ｂが相対的に矢印Ｄ方向に進入し固定される。なお、図５（ａ）は、固定前の状態、図５（ｂ）は固定が完了した状態を模式的に示している。
【００１６】
なお、一旦係止部４３にスナップフィットにより係止された係合片３１ｂは、係止部４３の入口部４３ｂ付近の凸形状により係合を解く方向への動きが拘束されるため、棚装置の回転動作中の摩擦や振動による係止部材４の脱落を防止できる。また、係止部材４を回転トレイ３から取り外す場合は、係止部材４を固定時とは逆方向に、上記入口部４３ｂ付近の凸形状による回転方向の拘束力を超える力で回動させることで、係止部４３と係合片３１ｂの嵌合が容易に解除される。このため、回転トレイ３を前後可動棚２に取り付け、及び取り外しの何れの場合もワンタッチで行うことができ、工具類や、複雑な作業が不要である。なお、他方の面Ｃには、図４に示すように係脱方向を示す文字が矢印と共に刻印されている。
【００１７】
図６から図８は上記回転トレイ３を前後可動棚２に載せ、係止部材４によって回転自在に固定する過程を説明する図である。先ず、図６に示すように回転トレイ３を前後可動棚２の上方に配設し、前後可動棚２の軸穴２１に回転トレイ３の回転軸３１ａが入り込むように前後可動棚２上に、図中の矢印の方向に嵌めこんで載置する。その際、係合片３１ｂが軸穴２１の切欠き２１ａを通過するように嵌めこむ。次に、図７に示すように前後可動棚２の下側から係止部材４を、軸穴２１に進入された回転トレイ３の係合部３１にスナップフィットにより係止させることで、回転トレイ３を前後可動棚２に対して軸穴２１を中心に回転自在に保持させる。図８は回転トレイ３の固定が完了した状態である。
【００１８】
上記図８に示すように、棚装置を構成する係止部材４は、前後可動棚２の下面に対してフランジ状の抜止部４２が下方向に出ているだけで、前後可動棚２の下面部分は全体的には略フラット状である。冷蔵庫の正面から見たときに前後可動棚２の前端フランジ２２の下端部よりも係止部材４の下端部を上方に位置させることができるのは勿論、係止部材４の厚み、即ち高さ方向の寸法を、前後可動棚２の前端フランジ２２の厚みの中に収めることも容易である。また、この例では回転トレイ３は、図６〜図８に示すように前後可動棚２の奥行きの寸法と同じか若干大きく、奥側にはみ出るように構成されているが必ずしもこのような寸法関係に限定されるものではない。また、冷蔵庫に本発明の棚装置を用いる場合、１段でも良いし、複数段用いても良いことは言うまでもない。
【００１９】
次に、上記のように構成された実施の形態１の動作について図９〜図１３を参照して説明する。なお、これらの図は、実施の形態１の棚装置が冷蔵室に設置され、さらに、食品群５が回転トレイ３に載置された状態の一例を模式的に示している。図９は、前後可動棚２が図示省略している冷蔵庫の内箱の奥側に押し込まれ、回転トレイ３は、平行な２辺が前後に位置した通常の冷蔵時の位置において、例えば缶ビールや清涼飲料水など比較的背の高い食品群５ａが手前側に載置され、例えばマーガリンや味噌の容器など比較的背の低い食品５ｂが庫内奥側に収容された状態であり、便宜上この状態を「原位置」と呼ぶ。
【００２０】
図９に示すような、背の高い食品群５ａが背の低い食品５ｂの前方に載置された状態において、背の低い食品５ｂを取出したい場合、図１０に示すように、前後可動棚２と回転トレイ３をレール１に沿って手前に引き出すだけでは、背の低い食品５ｂと使用者の距離が縮まるため、背の低い食品５ｂを取り出し易くなるが、依然、背の低い食品５ｂを取出す経路を背の高い食品群５ａが阻害しており、さらに、背の高い食品群５ａに背の低い食品５ｂが隠れて使用者が視認し難く、従来は背の高い食品群５ａを左右にずらし、もしくは、背の高い食品群５ａを取出した後、背の低い食品５ｂを取出す必要があった。
【００２１】
本実施の形態１の棚装置においては、前後可動棚２が、レール１に対して、前後移動自由で、かつ、回転トレイ３の左右両辺が円弧形状に形成され、前後可動棚２に対して、軸穴２１を回転中心として自由に回動できる構成となっている。そのため、上述の棚装置に食品群５が載置された状態において、奥側の背の低い食品５ｂを取出したい場合、使用者が、回転トレイ３の例えば前方左端部を把持したまま、手前に引き寄せることで、前後可動棚２と回転トレイ３の前方向への移動と、回転トレイ３の反時計方向への９０度の回動が連動し、図１１に示す前進回転途中の状態まで１アクションで移動できる。このため、背の高い食品群５ａに阻害されていた背の低い食品５ｂの取り出し易さと視認性が大幅に改善する。
【００２２】
次に、使用者が背の低い食品５ｂの取り出し後、あるいは別の背の低い食品５ｃ（図１２）の載置を行った後、棚装置を収納する場合には、図９に示す棚装置の原位置に戻すことができるのは勿論、図１２に示すように背の高い食品群５ａが奥側に、背の低い食品５ｃ（５ｂ）が手前側に位置する状態に反時計方向に更に９０度、当初位置から１８０度回転完了させた後、図１３に示すように前後可動棚２を移動できる。このため、使用者は、使用頻度や高さを考慮して食品を配置する必要がないため、食品貯蔵装置としての利便性が改善するだけでなく、賞味期限が迫りがちな冷蔵庫最奥部スペースに収納された食品等を冷蔵庫内の手前スペースに配置替えした状態で冷蔵保管することも簡単容易であり、食品の賞味期限切れによるロスの低減もできる効果が奏せられる。
【００２３】
なお、回転トレイ３は前後可動棚２の軸穴２１部で係止部材４によって固定したときに、抜止部４２が軸穴２１に上方向の移動を規制されることにより、回転トレイ３は、前後可動棚２に対し上下方向に安着している。そのため、棚装置の回転動作中に、例えば、図１１のように、回転トレイ３が前後可動棚２から大きくはみ出した状態において、棚装置上方からの物の落下や、棚装置下方からの突き上げによる負荷が、回転トレイ３に加わった場合でも、回転トレイ３が前後可動棚２から外れたり、脱落することがない。また、使用者が把持するグリップ部４４は、抜止部４２底面から上方に凹むように形成しているので、係止部材４の高さを増加させることがない。また、係止部材４を摺動性のよい樹脂で成形することで、棚装置の回転動作中の回転軸部の摩耗を抑制できる。
【００２４】
一方、図１４は、図８の回転トレイ３を取り外して前後可動棚２のみの棚として用いる場合の例である。この場合、係止部材４を外して回転トレイ３を取り外した後、外した係止部材４の上下を反転させ、前後可動棚２の軸穴２１に反転させた係止部材４を上から装着する。前後可動棚２の前端には前端フランジ２２が設けられていることにより、回転トレイ３を取り外しても、前後可動棚２には食品を貯蔵する棚としての剛性が確保できる。
【００２５】
また、回転トレイ３を取り外すことで、回転トレイ３の左右の円弧状の二辺の外側に形成される４隅のスペース部分にも食品を載置できるので有効棚面積が増える。また、軸穴２１に係止部材４が装着されていることで、前後可動棚２に載置した食品が転倒した場合の、軸穴２１から棚装置下方への液垂れを防止できる。なお、軸穴２１の周縁部と係止部材４の間にリング状のパッキングなどを介挿させ、さらに、軸穴２１と係止部材４とを例えばスナップフィットによる締結構造にしても良い。
【００２６】
上記のように実施の形態１は、冷蔵庫内箱に左右対称に設けられたレール１と、レール１に対して、上下方向の移動を拘束され、かつ、前後動可能に設置された前後可動棚２と、前後可動棚２に対して１箇所の回転軸である軸穴２１部分で回転自由に設置された回転トレイ３と、前後可動棚２の前端に設けられた前端フランジ２２と同じ厚みに収め、回転トレイ３の係合部３１にワンタッチで固定され、回転トレイ３を回転自在に支持する前後可動棚２に対して上下方向に拘束され、回転自由な係止部材４を含むものである。
【００２７】
上記のように構成された実施の形態１によれば、回転トレイ３は、前後可動棚２から容易に落下しないため、安全性を向上できる。また、係止部材４は径が大きく厚みが薄い蓋状で回転トレイ３に対してスナップフィットで嵌合固定されており、スナップフィットを解除する作業が容易で、高齢者など力の弱い使用者の手でもワンタッチで取り外しができるので、回転トレイ３の着脱が容易である。このため、構成部品の隙間に入ったゴミや汚れなどを清掃し易い。また、係止部材４は抜止部４２の肉厚分しか前後可動棚２下方にはみ出さないため、全体の高さ寸法を前端フランジ２２の部分の高さ寸法より薄くすることが容易であり、棚装置の外観がすっきりするだけでなく、回転動作中、棚装置下方に収納できる高さの食品と係止部材４の抜止部４２が接触しないため、回転動作による棚装置下方の食品倒れを防止できる。
【００２８】
さらに、係止部材４として摺動性の良い樹脂材を用いたので回転軸部の磨耗が抑制され、摩耗粉を発生せず、冷蔵庫内を清潔に保つことができ、回転動作中の異音を防止できる。また、部品を追加せずに、回転トレイ３を取り外すだけで、有効棚面積が大きい貯蔵棚としても使用できるといった効果を有する。また、係止部材４を把持するためのグリップ部４４が、係止部材４の底面から上方に向かって凹み形状で施されているため、棚装置の全体の高さに対し係止部材４を含めた回転支持部が下方に出っ張らない。このため外観がすっきりし、回転動作中も棚装置下部の空間に収納した食品に接触して、食品が倒れる恐れがない。
【００２９】
回転トレイ３と前後可動棚２の摺動箇所の増加を防止し、回転動作中の異音や磨耗粉の発生を抑制する。また、使用者が回転機能を排除し、貯蔵スペースを拡げて使用したい場合でも、回転トレイ３を取り外した後、前後可動棚２には係止部材４の投影面積分から抜止部４２を除いた面積の穴しかあいていないため、十分な強度が確保され、係止部材を上下反転させて配置させることで、食品が倒れたときの液垂れ防止機能も有するといった従来にない顕著な効果を奏するものである。
【００３０】
実施の形態２．
図１５、図１６は、本発明の実施の形態２に係る冷蔵庫の棚装置を説明する斜視図であり、図１５は回転トレイを用いる場合、図１６は回転トレイ３を取り外し、前後可動棚２の上下を反転させて用いる場合である。図１５において、前後可動棚２の前端フランジ２２の左右端部には意匠部品と回転トレイ３の回転動作完了位置を認識し易くする機能を兼ねたロックレバー６（６Ａ、６Ｂ）が対称的に設けられている。ロックレバー６は樹脂で形成され、前後可動棚２の前端部に、前後可動棚２に対して矢印Ｅで示す左右方向に左右独立してスライド移動可能に設置されている。上記ロックレバー６の双方を中心部方向にスライドさせるとロックレバー６が回転トレイ３の回動軌跡内に入り込むことで、回転トレイ３は時計方向と反時計方向の何れの回転もロックされる。
【００３１】
なお、前後可動棚２は図示省略しているレール１に対して取り外し可能に係合され、さらに、上下を反転させ裏面を上に向けた状態でも該レール１に対して係合できるように構成されている。その他の構成は実施の形態１と同様のため説明を省略する。
【００３２】
上記のように構成された実施の形態２においては、前後可動棚２にロックレバー６のような意匠部品や機能部品が追加されても、上記実施の形態１と同様の作用効果が得られるほか、回転トレイ３を取り外した状態で前後可動棚２のみで用いる場合には、希望により前後可動棚２を上下反転させ、裏面を使用することができる。その場合には、前後可動棚２の手前側のコーナー部上面の凸部２ｂが上下反転に伴って下面側に移動し、前後可動棚２の４隅が実施の形態１と同じ有効面積を確保した状態となるので、貯蔵棚として広く使用できる。なお、ロック位置やロック方式は適宜変更しても良い。
【００３３】
実施の形態３．
図１７は本発明の実施の形態３に係る冷蔵庫の棚装置の要部を示す断面図である。なお、図は前後可動棚２の下側から係止部材４Ａを回転トレイ３の係合部３１にスナップフィットにより係止させた状態を示している。図において、係止部材４Ａのグリップ部４４の上面４ａと回転トレイ３の係合部３１の中央部裏面３ｂは、密着状に接触されている。その他の構成は実施の形態１と同様である。
【００３４】
上記のように構成された実施の形態３によれば、係止部材４Ａと回転トレイ３の係合部３１の中央部裏面３ｂが面接触しているため、高い曲げ剛性が得られ、例えば回転トレイ３の中心付近に集中した負荷が加わった場合でも、棚装置回転軸部の変形とたわみ角を抑制し、棚装置の変形による回転動作不良と、強度不足による破壊を防止できる。また、一般に、冷蔵庫の貯蔵棚は、長期間の食品貯蔵の負荷によるクリープ変形が発生し、棚中心付近に永久変形が発生するが、上記のように形成された係止部材４Ａを取り付けることで、回転トレイ３の変形を矯正することができ、長期間の使用でも棚装置の変形による回転動作不良を防止できる。また、重い貯蔵物が載置されても、係止部材４の上面４ａが回転トレイ３に接触することで、回転トレイ３の変形が抑制される。このため、回転動作中の異音や磨耗粉の発生を抑制できる。
【００３５】
ところで、上記実施の形態１〜３では、係止部材４に設けられた係合体４１の外周面が前後可動棚２の軸穴２１の内周面に摺動するようにした場合について説明したが、必ずしもこの構成に限定されるものではなく、例えば回転トレイ３の回転軸３１ａの外周面が軸穴２１の内周面に摺動するように構成しても良い。その場合、摺動による摩擦を低減するために、例えば軸穴２１の内周面または回転軸３１ａの外周面にポリアセタール樹脂などの摺動性の良好な樹脂材料からなるリング部材（図示省略）などを装着しても良い。また、その場合、係止部材４と回転トレイ３の係合部３１との係合構造は、例えば係合片３１ｂを回転軸３１ａの軸中心側に設けることで実施の形態と同様の作用効果が得られるようにできる。さらに、上記係合部３１と係止部材４との係合構造、係合方式は一例に過ぎず、例えば係合部分にラチェット爪やラッチ機構を用いて係止部材４の脱落防止を確実にするなど適宜変形や変更が可能であることは言うまでもない。
【符号の説明】
【００３６】
１  レール、  １ａ  突出部、  ２  前後可動棚、  ２１  軸穴、  ２１ａ  切欠き、  ２２  前端フランジ、  ２３  レール摺動部、  ２３ａ  側壁段部、  ３  回転トレイ、  ３ａ  縁、  ３ｂ  中央部裏面、  ３１  係合部、  ３１ａ  回転軸（円筒部）、  ３１ｂ  係合片、  ４、４Ａ  係止部材、  ４ａ  上面、  ４１  係合体、  ４１ａ  切欠き部、  ４２  抜止部、  ４３  係止部、  ４３ａ  凹所、  ４３ｂ  入口部、  ４４  グリップ部、  ５  食品群、  ５ａ  背の高い食品群、  ５ｂ  背の低い食品、  ５ｃ  別の食品、  ６（６Ａ、６Ｂ）  ロックレバー。
【図１】
0005487044.tif 000002
【図２】
0005487044.tif 000003
【図３】
0005487044.tif 000004
【図４】
0005487044.tif 000005
【図５】
0005487044.tif 000006
【図６】
0005487044.tif 000007
【図７】
0005487044.tif 000008
【図８】
0005487044.tif 000009
【図９】
0005487044.tif 000010
【図１０】
0005487044.tif 000011
【図１１】
0005487044.tif 000012
【図１２】
0005487044.tif 000013
【図１３】
0005487044.tif 000014
【図１４】
0005487044.tif 000015
【図１５】
0005487044.tif 000016
【図１６】
0005487044.tif 000017
【図１７】
0005487044.tif 000018